(57)【要約】【課題】ウエットスーツ・セミドライスーツ・ドライスーツと呼ばれる水中仕様のスーツを着用している時の男性の排尿は水中、水上ともに装着や容易でないペニスケースを装着した特殊な水中使用のスーツで排尿するか、スーツを脱いで排尿しなければならなかったが、スーツを着用したまま容易に水中で排尿できることを目的とする。【解決手段】男性外性器全部を通す穴を水中・水上用スーツに用意し、男性外性器全部をその穴からスーツ本体の外に出してスーツを着用し、尿の排出機能を持たせたカバーをスーツに設置しておくことでウエットスーツを脱がないで排尿できる。【選択図】図１
2008088619.tif 000002
【特許請求の範囲】
【請求項１】
伸縮性のある防水性素材に男性外性器全部が通る必要最小限の穴を設け、スーツを着用したままで水中・水上・陸上・船上での排尿を可能とすることを特徴としたウエットスーツ、ネオドライスーツ、ドライスーツとよばれる水中・水上用スーツ。
【請求項２】
請求項１の水上・水中用スーツの穴を通してスーツ本体より出された男性外性器部分の目隠し、防水、保温、尿の排出などの目的に用いられる素材の配置されたウエットスーツ、ネオドライスーツ、ドライスーツとよばれる水中・水上用スーツ。
【請求項３】
請求項１の男性外性器全部をウエットスーツ、ネオドライスーツ、ドライスーツ本体の外に出すための穴の位置を決める方法。
【発明の詳細な説明】
【技術分野】
【０００１】  この発明は、着用したまま排尿できるウエットスーツ、ネオドライスーツ、ドライスーツとよばれる水中・水上使用のスーツに関するものである。
【背景技術】
【０００２】  従来のウエットスーツ、ネオドライスーツ、ドライスーツを着用した排尿の方法は、一般的なものではスーツを着用した状態でスーツ内にそのまま排尿する方法。もしくは、排尿の都度スーツを脱ぎ排尿を行う方法。もしくは、股間の部分にファスナーを設けて陸上または船上で排尿を行う方法。足首までの細いチューブをペニスケースにつなげ足首よりチューブを出して排尿を行う方法。ペニスケースの排出口をスーツの男性外性器近くにあける方法などがあった  図２。
【発明の開示】
【発明が解決しようとする課題】
【０００３】解決しようとする問題点は、ウエットスーツ、ネオドライスーツ、ドライスーツとよばれる水中・水上使用のスーツで男性の排尿を容易にできるようにすることである。スーツ以外の装具を男性外性器に装着することなく、スーツにペニスの大きさに合わせたペニスケースを用意することもなく着脱が容易で水中・水上・陸上・船上でも排尿でき、水中での排尿時にウエットスーツ、ネオドライスーツ、ドライスーツ内に尿や水が入ることが少ないスーツを提供することである。外気温が低い季節に排尿のためにウエットスーツを脱ぐ必要が無いようにすることを目的とする。従来の排尿機能付きスーツの技術には全てペニスケースが用意されていた。ペニスケースへのペニスの装着は容易ではなく、装着しやすいようにペニスよりもペニスケースを大きく作ると、スーツ内への尿漏れやスーツ内への水の浸入があった。ペニスケースの位置を決める詳細な手順はなく、外気温、水温によるサイズ変化のあるペニスに対応できるペニスケースもなかった。
【課題を解決するための手段】
【０００４】  以上の課題を解決するために、ウエットスーツ、ネオドライスーツ、ドライスーツに男性外性器全部を出せるための必要最小限の穴の開いた伸縮性のある防水性の素材を配置し、その穴より男性外性器の一部ではなく全部をスーツ本体の外へ出すことを最大の特徴とする。男性外性器の目隠し、防水、保温、尿の排出などの目的にあった素材を配置するものとする。穴の位置を決めるためには、スーツ使用者のヘソから男性外性器の間隔を測って穴の位置を決めるものとする。スーツの製造工程での穴の位置を決める場合は、股からヘソまでの間隔を計測し、ヘソから男性外性器の間隔を計測しておけば正確な穴の位置を割り出せる。図３
【発明の効果】
【０００５】  防水性の素材に穴を設け、男性外性器の全てを前記の穴に通しておくことのメリットは、ペニスだけを前記の穴を通してスーツを着用すると、スーツ内に残った睾丸によりスーツが股間部分に密着できないので、水や尿のスーツ内への浸入が起こるが、男性外性器全部を前記の穴に通すことによりスーツ素材が股間部分に隙間なく密着してスーツ着用時に水中で排尿してもスーツ内部に尿が入ることもほとんどなく、また淡水、海水がスーツ内部に入ることも少ない。男性外性器全部を出すことによってスーツ着用時の睾丸への圧迫の苦痛もなくなる。また、ペニスケースを使用しないのでペニスケース内の残尿がなくなり、スーツ本体内部への尿の漏れもなくなる。陸上や船上でも男性外性器の伸縮性のある目隠しのカバーを引き下げれば、ウエットスーツを脱がないで排尿できる。ペニスケースを用意するタイプのスーツではペニスサイズに合わせてペニスケースを作る必要があるが、男性外性器全部をスーツ外へ出すための穴はスーツ使用者が各自の男性外性器根元のサイズに合わせて穴の大きさをハサミなどで調整できる。ヘソから男性外性器までの間隔を測って位置を決めることができる。また、激しい動きのマリンスポーツなどでも男性外性器のペニスだけを穴から出しているとスーツ内部に入り込んでしまうことがあるが、男性外性器全部を穴よりスーツ外に出すことによって、スーツ内部への男性外性器の入り込みを防ぐこともできる。スーツに設けられた穴より男性外性器全部を出す手間はペニスをペニスケースに装着するのに比べて容易で、外気温・水温でペニスが萎縮しても男性外性器を出す穴が伸縮性のある素材で穴を小さくしておけるので、海水・淡水・尿のスーツ本体内への浸入は非常に少ない。
【発明を実施するための最良の形態】
【０００６】  この発明の一実施形態を、図１に示す。
男性外性器全部を出す部分の素材は一般に水中使用に使われるウエットスーツの素材もしくは、ゴムのように伸縮と防水の性質を持っているものである。ウエットスーツ本体の部分から外側に出された男性外性器全部を覆い隠すように伸縮性のある耐水性の素材を配置する。男性外性器全部を覆い隠しているカバーの上部は面ファスナーにより開閉できるようになっている。下部は尿が排出されやすいようにしてある。男性外性器全部を出すための穴の位置を決めるためには図３のように、へそから男性外性器までの間隔を計測すれば容易に位置を決めることが出来る。【０００７】「実施形態の効果」
この実施形態によれば、男性外性器全部をスーツ外に出すための穴より海水、淡水、尿が入りにくく、男性外性器全部を出すことによって男性外性器が激しい運動によってスーツの中に入り込んでしまうこともない。スーツを脱ぐ必要もなく排尿でき、ペニスケースを用意しないで水中で排尿できスーツ本体の内部への尿や水の浸水も非常にすくない。
排尿のための準備も容易である。【０００８】「他の実施形態」
図１の実施形態では、男性外性器の目隠し、防水、保温、尿の排出などの目的でカバーとなる生地を配置し面ファスナーによりカバー上部が開閉できるようになっているが、面ファスナーは防水ファスナーやファスナーでもよい。男性外性器部分のカバーには尿排出のための素材が  図１では下部に配置されているが保温・防水のために開けなくてもよい。また男性外性器のカバーをスーツ本体に用意しないで、スーツに穴を開けただけでもよく、目隠し、防水、保温、尿の排出などの目的でスーツの上にパンツやズボンのようなものを着用してもよい。スーツの上に着用するパンツやズボンの素材は、目隠し、防水、保温、尿の排出などの目的の素材ならどのようなものでもよい。男性外性器を通す穴の位置決めの方法で股から男性外性器までの間隔で位置を決めてもよく、膝または足くるぶしから計測して位置を決めてもよい。
【図面の簡単な説明】
【０００９】
【図１】この発明の一実施形態を示す図である。
【図２】従来技術を示す図である。
【図３】この発明の穴の位置決めの実施形態を示す図である。
【符号の説明】
【００１０】１  スーツ本体断面              ２  男性外性器全部を通すための穴
３  男性外性器      ４  目隠し、保温、防水、尿排出を目的とするカバー
５  排水・尿排出穴    ６  面ファスナー    ７  尿排出口
８  ペニスケース      ９  へそ    １０  股からへそまでの間隔
１１  へそから男性外性器までの間隔
【図１】
2008088619.tif 000003
【図２】
2008088619.tif 000004
【図３】
2008088619.tif 000005